【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
ガス流から二酸化炭素を除去する方法であって、
水酸化物を水性混合物中に得る段階、
該水酸化物をガス流と混和させて、炭酸塩生成物、炭酸水素塩生成物、または炭酸塩生成物と炭酸水素塩生成物との混合物を混和物として製造する段階、ならびに
該混和物から該炭酸塩生成物および／または炭酸水素塩生成物を分離して、それによって該ガス流から二酸化炭素を除去する段階を含む方法。
【請求項２】
実質的に炭酸塩生成物のみ、実質的に炭酸水素塩生成物のみ、または炭酸塩生成物と炭酸水素塩生成物との混合物を製造するように方法をプロセス制御する段階をさらに含む、請求項1記載の方法。
【請求項３】
炭酸塩生成物約50%および炭酸水素塩生成物約50%、炭酸塩生成物約25%および炭酸水素塩生成物約75%、または炭酸塩生成物約75%および炭酸水素塩生成物約25%を含む混合物を製造する、請求項1または2記載の方法。
【請求項４】
混和が二つの別々のチャンバで起こり、一方のチャンバが炭酸塩生成物を製造するために使用されるものであり、他方のチャンバが炭酸水素塩生成物を製造するために使用されるものである、請求項1〜3のいずれか一項記載の方法。
【請求項５】
混和がバブルカラムまたは一連のバブルカラムで起こる、請求項1〜4のいずれか一項記載の方法。
【請求項６】
混和物からの炭酸塩生成物および／または炭酸水素塩生成物の分離が加熱沈殿分離工程を含む、請求項1〜5のいずれか一項記載の方法。
【請求項７】
分離工程のための熱が、入ってくる煙道ガスとの熱交換から導出される、請求項1〜6のいずれか一項記載の方法。
【請求項８】
炭酸塩生成物を離れた隔離場所に輸送する段階、
該炭酸塩生成物を酸と合わせて中和反応させて純粋な二酸化炭素を生成する段階、および
該二酸化炭素を炭素バンクに注入する段階をさらに含む、請求項1〜7のいずれか一項記載の方法。
【請求項９】
ガス流の他の成分を炭酸塩形成工程で中和および／または連行／捕捉する、請求項1〜8のいずれか一項記載の方法。
【請求項１０】
炭酸塩形成工程で中和および／または連行／捕捉されるガス流の他の成分がSOx、NOx、および水銀含有物質を含む、請求項9記載の方法。
【請求項１１】
水酸化物を得ることが、
塩を得る段階、
該塩を水、蒸気、または両方と混和させて溶液を製造する段階、および
該溶液を電気分解して水酸化物を製造する段階を含む、請求項1〜10のいずれか一項記載の方法。
【請求項１２】
約5ボルトより大きいかまたは等しい電圧を使用して溶液を電気分解する、請求項11記載の方法。
【請求項１３】
約5ボルト未満、たとえば約1.5ボルト〜約4ボルトの間、または約2ボルト〜約3ボルトの間の電圧を使用してブラインを電気分解する、請求項11記載の方法。
【請求項１４】
溶液を電気分解する前に酸、好ましくは塩酸を該溶液に加える、請求項11〜13のいずれか一項記載の方法。
【請求項１５】
電気分解工程が、陰極液側および陽極液側を有する電気化学セル中で起こり、かつ、炭酸塩生成物および／または炭酸水素塩生成物が該電気化学セルの該陰極液側にリサイクルされる、請求項11〜14のいずれか一項記載の方法。
【請求項１６】
方法に必要なエネルギーが、ガス流から回収される廃熱によって補充される、請求項11〜15のいずれか一項記載の方法。
【請求項１７】
水酸化ナトリウムを水性混合物中に得る段階、
該水酸化ナトリウムをガス流と混和させて、炭酸ナトリウム、炭酸水素ナトリウム、または炭酸ナトリウムと炭酸水素ナトリウムとの混合物を製造する段階、ならびに
混和物から該炭酸ナトリウムおよび／または炭酸水素ナトリウムを分離して、それによって該ガス流から二酸化炭素を除去する段階を含み、ガス流から二酸化炭素を除去する方法としてさらに定義される、請求項1〜16のいずれか一項記載の方法。
【請求項１８】
炭酸ナトリウムを離れた隔離場所に輸送する段階、
炭酸塩生成物を酸と合わせて中和反応させて純粋な二酸化炭素を生成する段階、および
該二酸化炭素を炭素バンクに注入する段階をさらに含む、請求項17記載の方法。
【請求項１９】
水酸化物ナトリウムを得ることが、
塩化ナトリウムを得る段階、
該塩化ナトリウムを水、蒸気、または両方と混和させてブラインを製造する段階、および
該ブラインを電気分解して水酸化ナトリウムおよび塩素ガスを製造する段階を含む、請求項17記載の方法。
【請求項２０】
約5ボルトより大きいかまたは等しい電圧を使用してブラインを電気分解する、請求項19記載の方法。
【請求項２１】
約5ボルト未満、たとえば約1.5ボルト〜約4ボルトの間、または約2ボルト〜約3ボルトの間の電圧を使用してブラインを電気分解する、請求項19記載の方法。
【請求項２２】
ブラインを電気分解する前に酸、好ましくは塩酸を該ブラインに加える、請求項19〜21のいずれか一項記載の方法。
【請求項２３】
電気分解工程が、陰極液側および陽極液側を有する電気化学セル中で起こり、かつ
炭酸ナトリウムおよび／または炭酸水素ナトリウムが該電気化学セルの該陰極液側にリサイクルされる、請求項19〜22のいずれか一項記載の方法。
【請求項２４】
方法に必要なエネルギーが、ガス流から回収される廃熱によって補充される、請求項19〜23のいずれか一項記載の方法。
【請求項２５】
塩素ガスを収集する段階をさらに含む、請求項19〜24のいずれか一項記載の方法。
【請求項２６】
水素ガスを製造する、請求項19〜25のいずれか一項記載の方法。
【請求項２７】
水素ガスおよび塩素ガスを燃焼させて塩酸を形成し、ブラインを電気分解する前に該塩酸を該ブラインに加える、請求項19〜26のいずれか一項記載の方法。
【請求項２８】
水素ガスを大気酸素または原料薬品からの酸素とで燃焼させて水を製造する、請求項26または27記載の方法。
【請求項２９】
水素ガスを使用してエネルギーを生産する段階をさらに含む、請求項26〜28のいずれか一項記載の方法。
【請求項３０】
混和物からの炭酸ナトリウムおよび／または炭酸水素ナトリウムの分離が、分離工程のための熱を水素ガスの燃焼によって生産されるエネルギーから導出する加熱沈殿分離工程を含む、請求項19〜29のいずれか一項記載の方法。
【請求項３１】
水素ガスを石炭とで同時燃焼させて石炭燃焼放出を改善するか、または水素ガスを直流電気の燃料セル回収のために燃焼工程で使用する、請求項29または30記載の方法。
【請求項３２】
ガス流が、プラント、たとえば、炭素系燃料源を使用する発電所からの排気流であり、好ましくは、該排気流がCO2およびH2Oを含む、請求項1〜31のいずれか一項記載の方法。
【請求項３３】
少なくとも一つの陰極および少なくとも一つの陽極を含み、使用中に水酸化物を製造するように適合されている電気分解チャンバ、
該電気分解チャンバおよび使用中にガス流を含むように適合されている導管に作動可能に接続されており、使用中に該電気分解チャンバからの水酸化物を該ガス流と混和させて、該ガス流中の炭素、硫黄、および／または窒素化合物が該水酸化物と反応することができるところの混和物を形成するように適合されている混合機、ならびに
該混合機に作動可能に接続され、該混和物を別々の気相と固相および／または液相とに分離するように適合されている分離チャンバを含む装置。
【請求項３４】
電気分解チャンバが膜セル、隔膜、および／または水銀を含む、請求項33記載の装置。
【請求項３５】
混合機が、バッチリアクタもしくは一連のバッチリアクタ、気／液吸収／反応機器もしくは一連の気／液吸収／反応機器、結晶化塔（crystallization tower）もしくは一連の結晶化塔、またはバブルカラムもしくは一連のバブルカラムを含む、請求項33または34記載の装置。
【請求項３６】
分離チャンバに作動可能に接続され、使用中に固相および／または液相から液体を除去するように適合された乾燥チャンバをさらに含む、請求項33〜35のいずれか一項記載の装置。
【請求項３７】
乾燥チャンバが、使用中に固相および／または液相を加熱するように適合されている、請求項36記載の装置。
【請求項３８】
発電所に作動可能に接続されているとしてさらに定義される、請求項33〜37のいずれか一項記載の装置。
【請求項３９】
電気分解チャンバが、使用中に塩化ナトリウムおよび水から塩素ガスおよび水酸化ナトリウムを製造するように適合されている、請求項33〜38のいずれか一項記載の装置。
【請求項４０】
混合機が、使用中に電気分解チャンバからの水酸化物をガス流からの二酸化炭素と混和させて炭酸塩生成物および／または炭酸水素塩生成物を製造するように適合されている、請求項33〜39のいずれか一項記載の装置。
【請求項４１】
混和物から分離した炭酸水素塩生成物および／また炭酸塩生成物を、それらから二酸化炭素が再生するように処理する段階をさらに含む、請求項1記載の方法。